(57)【要約】【課題】受光面上のスポット径を大きくするための光学素子を追加することなく、センサの応答速度低下を防止する。【解決手段】光ディスクの記録、再生、及び消去を行う相変化型光ディスク用ヘッド装置において、光ディスクからの反射レーザ光を、回折によって複数の光束に分割すると共に、複数の光束に光軸方向に関して正負方向のデフォーカスを発生させる光束分割手段と、略同一平面上に、かつそれぞれが光軸対称に設けられた二対の受光素子とを備え、二対の受光素子は、複数の光束のうち、０次光以外の光束を受光するように配設され、二対の受光素子の出力に基づき、データ信号とサーボ信号を検出する。【選択図】　　　図２
2004103106.tif 000002
【特許請求の範囲】
【請求項１】
光ディスクの記録、再生、及び消去を行う相変化型光ディスク用ヘッド装置において、
光ディスクからの反射レーザ光を、回折によって複数の光束に分割すると共に、前記複数の光束に光軸方向に関して正負方向のデフォーカスを発生させる光束分割手段と、
略同一平面上に、かつそれぞれが光軸対称に設けられた二対の受光素子と、を備え、
前記二対の受光素子は、前記複数の光束のうち、０次光以外の光束を受光するように配設され、
前記二対の受光素子の出力に基づき、データ信号とサーボ信号を検出すること、を特徴とする相変化型光ディスク用ヘッド装置。
【請求項２】
前記二対の受光素子は、前記複数の光束のうち、±１次回折光、及び±３次回折光を受光すること、を特徴とする請求項１に記載の相変化型光ディスク用ヘッド装置。
【請求項３】
前記二対の受光素子のうち±３次回折光を受光する一対の受光素子の間隔ΔＬは、次の関係式（１）を満たすこと、を特徴とする請求項２に記載の相変化型光ディスク用ヘッド装置。
（１）　α≦ΔＬ≦３α、
ここで、αは、ＮＡ０をレーザ光源と前記ディスクとの間の光路上に配設された対物レンズのＮＡとし、
ＮＡ１を前記光束分割手段と前記一対の受光素子との間の光路上に配設された集光レンズのＮＡとし、
σを前記ディスクの面ブレ量とし、
ΔＺを前記分割された複数の光束のそれぞれの収束位置の光軸に沿った距離として、式（２）、
（２）　α＝（６／ＮＡ１）・｛２・（ＮＡ０）２・δ＋（ＮＡ１）２・ΔＺ｝、
により定義される。
【請求項４】
前記±１次回折光に基づいてデータ信号を検出し、
前記±３次回折光に基づいてサーボ信号を検出すること、を特徴とする請求項２または請求項３のいずれかに記載の相変化型光ディスク用ヘッド装置。
【請求項５】
前記光束分割手段は、ホログラム素子であること、を特徴とする請求項１〜請求項４のいずれかに記載の相変化型光ディスク用ヘッド装置。
【請求項６】
前記ホログラム素子は、同心円形状の一部を切り取ったような形状で、かつ１周期のＤｕｔｙ比が略１：１である断面形状が矩形構造の溝形状を有すること、を特徴とする請求項５に記載の相変化型光ディスク用ヘッド装置。
【請求項７】
前記ホログラム素子は、前記複数の光束のうち、前記±１次回折光と前記±３次回折光との光量の比率を略９：１とすること、を特徴とする請求項５または請求項６のいずれかに記載の相変化型光ディスク用ヘッド装置。
【請求項８】
前記ホログラム素子が光束を分割し、前記の光量比率に分割するために与える位相差量は、略０．５λ（λ：波長単位）であること、を特徴とする請求項５〜請求項７のいずれかに記載の相変化型光ディスク用ヘッド装置。
【発明の詳細な説明】
【０００１】
【発明の属する技術分野】
この発明は、光源から照射された光束を光ディスク上に導き、光情報の記録、再生、及び消去を行う相変化型光ディスク用ヘッド装置に関する。
【０００２】
【従来の技術】
従来より、光ディスクなどの光情報記録媒体からの反射光を分割し、その分割された光束を受光素子により受光してデータ信号、サーボ信号を得る構成の相変化型光ディスク用ヘッド装置が知られている。（例えば、特許文献１参照。）。その相変化型光ディスク用ヘッド装置は次のように構成されている。光ディスクからの反射レーザ光（戻り光）が、回折格子によって、０次光、±１次回折光に分離され、０次光がデータ信号用光束、＋１次回折光がサーボ信号用光束として用いられている。回折格子から射出された０次光、＋１次回折光は、それぞれデータ用センサ、サーボ用センサに入射し、各センサの出力に基づいて各信号が検出されている。なお、この公報において、フォーカスエラー信号は非点収差法、トラッキングエラー信号はプッシュプル法によって検出している。
【０００３】
また、フォーカスエラー信号はスポットサイズ法、トラッキングエラー信号はプッシュプル法によって検出している光情報記録再生ヘッド装置が記載されている。この装置を応用して、０次光をデータ信号用光束、±１次回折光をサーボ信号用光束とするような相変化型光ディスク用ヘッド装置を構成することができる。その場合、光磁気ディスク用の光情報記録再生ヘッド装置と、相変化型光ディスク用の相変化型光ディスク用ヘッド装置のいずれにおいても同様の調整装置、治具などを使用することができる。
【０００４】
【特許文献１】
特開平９−９１７１５号公報（第３、４項、第１〜３図）
【特許文献２】
特開２０００−２７６７４４号公報（第４、５項、第２、９図）
【０００５】
【発明が解決しようとする課題】
しかしながら、上述の相変化型光ディスク用ヘッド装置では、サーボ信号検出用である±１次回折光は、センサ面を挟んで光軸方向に等量に、それぞれ正負のデフォーカスが与えられているため、合焦時、データ信号用の光束である０次光は、データ用センサ面上において極小の点として集光されてしまう（すなわち、焦点を結ぶ）。その結果、エネルギー密度の高い光束が、センサ面上で受光されてしまい、センサの応答速度が低下してしまう問題があった。この問題の解決方法として、新たに別の光学素子を追加し、データ用センサ面上で形成されるスポット径を大きくし、受光される光束のエネルギー密度を低くする方法がある。ところが、新たに別の光学素子を追加すると、装置の大型化、複雑化、及びコストアップに繋がってしまう。
【０００６】
そこで、本発明は上記の事情に鑑み、新たに別の光学素子を追加することなく、センサの応答速度低下を防止することが可能となる相変化型光ディスク用ヘッド装置を提供することを目的とする。
【０００７】
【課題を解決するための手段】
上記の課題を達成するため、請求項１に記載の相変化型光ディスク用ヘッド装置は、光ディスクの記録、再生、及び消去を行う相変化型光ディスク用ヘッド装置において、光ディスクからの反射レーザ光を、回折によって複数の光束に分割すると共に、複数の光束に光軸方向に関して正負方向のデフォーカスを発生させる光束分割手段と、略同一平面上に、かつそれぞれが光軸対称に設けられた二対の受光素子とを備え、二対の受光素子は、複数の光束のうち、０次光以外の光束を受光するように配設され、二対の受光素子の出力に基づき、データ信号とサーボ信号を検出することを特徴とする。このように受光素子に受光される光束が、受光面上でデフォーカスを発生させる０次光以外の他の次光であるため、受光面上において光束が極小の点として集光されることがなく、受光素子の応答速度の低下を防止することが可能となる。
【０００８】
また、請求項２に記載の相変化型光ディスク用ヘッド装置は、二対の受光素子が、分割された複数の光束のうち、±１次回折光、及び±３次回折光を受光することを特徴とする。
【０００９】
また、請求項３に記載の相変化型光ディスク用ヘッド装置は、二対の受光素子のうち±３次回折光を受光する一対の受光素子の間隔ΔＬは、次の関係式（１）を満たすことを特徴とする。
（１）　α≦ΔＬ≦３α、
ここで、αは、ＮＡ０をレーザ光源とディスクとの間の光路上に配設された対物レンズのＮＡとし、ＮＡ１を光束分割手段と一対の受光素子との間の光路上に配設された集光レンズのＮＡとし、σをディスクの面ブレ量とし、ΔＺを分割された複数の光束のそれぞれの収束位置の光軸に沿った距離の半分として、式（２）、
（２）　α＝（６／ＮＡ１）・｛２・（ＮＡ０）２・δ＋（ＮＡ１）２・ΔＺ｝、
により定義される。
【００１０】
また、請求項４に記載の相変化型光ディスク用ヘッド装置は、±１次回折光に基づいてデータ信号を検出し、±３次回折光に基づいてサーボ信号を検出することを特徴とする。
【００１１】
また、請求項５に記載の相変化型光ディスク用ヘッド装置は、光束分割手段は、ホログラム素子であることを特徴とする。
【００１２】
また、請求項６に記載の相変化型光ディスク用ヘッド装置は、ホログラム素子は、同心円状のパターンを一部切り取った形状で、かつ１周期のＤｕｔｙ比が略１：１である断面形状が矩形構造の溝形状を有することを特徴とする。
【００１３】
また、請求項７に記載の相変化型光ディスク用ヘッド装置は、ホログラム素子は、分割された複数の光束のうち、±１次回折光と±３次回折光との光量の比率を略９：１とすることを特徴とする。
【００１４】
また、請求項８に記載の相変化型光ディスク用ヘッド装置は、ホログラム素子が光束を分割し、前記の光量比率に分割するために与える位相差量は、略０．５λ（λ：波長単位）であることを特徴とする。
【００１５】
【発明の実施の形態】
図１は、本発明に係る、相変化型光ディスク用ヘッド装置の構成を示す斜視図である。相変化型光ディスク用ヘッド装置は、光源部１、対物光学系２、信号検出部３、処理部４を有する。光源部１は発散レーザ光を発生する半導体レーザ５、この半導体レーザ５から出射された発散レーザ光を平行光束に変換するコリメータレンズ６、このコリメータレンズ６により平行光束とされたレーザ光の断面形状を整形するアナモフィックプリズム７を有する。このアナモフィックプリズム７により整形された平行光束はプリズムブロック部８に導かれる。
【００１６】
プリズムブロック部８は、アナモフィックプリズム９、集光レンズ１０、直角プリズム１１を有する。集光レンズ１０はアナモフィックプリズム９に接合されている。アナモフィックプリズム９はアナモフィックプリズム７で整形された平行光束をさらに整形して、光束の断面形状をほぼ円形状にする。アナモフィックプリズム９と直角プリズム１１との間の接合面は偏光特性をもつハーフミラー面１２として形成されている。このハーフミラー面１２は、光源部１から出射された平行光束のＰ偏光成分の一部を集光レンズ１０に向けて反射する。集光レンズ１０はオートパワーコントロール（ＡＰＣ）用の受光素子１３上に光束を収束させる。受光素子１３の受光出力に基づき、半導体レーザ５の出力が自動制御される。
【００１７】
対物光学系２は、λ／４波長板４０、立ち上げミラープリズム１４と、対物レンズ１５とから概略構成される。ハーフミラー面１２を透過した断面円形状の平行光束（Ｓ偏光成分）は、λ／４波長板４０によって円偏光となり、立ち上げミラープリズム１４で図中上方に向けて（光ディスク１６に向けて）反射され、対物レンズ１５により光ディスク１６の情報記録面上に収束される。
【００１８】
この光ディスク１６は、情報記録面としての裏面に同心円状の記録トラックが形成されており、図示を略す回転駆動手段により回転される。図１には座標軸Ｘ’Ｙ’Ｚ’からなる直交座標系を示す。Ｘ’軸は光ディスク１６の半径方向（すなわちトラッキング方向）、Ｙ’軸はトラッキング方向と直交する方向（タンジェンシャル方向）、Ｚ’軸はフォーカシング方向（対物レンズ１５の光軸方向）を示すものとする。対物レンズ１５は、光ディスク１６の半径方向（トラッキング方向）Ｘ’に駆動される光学ヘッド（図示を略す）内に立ち上げミラープリズム１４と共に設けられている。この対物レンズ１５は光学ヘッド内のアクチュエータの駆動によりＺ’方向に移動され、光ディスク１６の情報記録面上に合焦される。
【００１９】
光ディスク１６により反射された反射レーザ光束は、対物レンズ１５を透過した後、立ち上げミラープリズム１４によりプリズムブロック部８に向けて９０度偏向され、λ／４波長板４０によってＳ偏光となり、ハーフミラー面１２で反射されて９０度偏向され、信号検出部３に導かれる。ここで、信号検出部３において、ＸＹＺ直交座標系を規定する。Ｘ軸、Ｙ軸、Ｚ軸はそれぞれディスク上でのＸ’軸、Ｙ’軸、Ｚ’軸に相当する。
【００２０】
信号検出部３は、ホログラム板１８、集光レンズ１９、複合センサ２０を有する。ホログラム板１８は、偏光特性がない位相型の非偏光ホログラム素子からなり、通常のパターニングと同様の方法で作成される。このようなホログラムは、元来、物体で反射される光束の波面、あるいは物体を透過する光束の波面に参照波面を加えて干渉させ、その干渉縞の強度を記録媒体に記録したものであり、周知のデフォーカス波面（球面波）、チルト波面（傾斜した平面波）等を単独に、あるいは、組み合わせた干渉パターンとして記録したものである。
【００２１】
図３はホログラム板１８の断面図である。ホログラム板１８は、同心円状でかつ断面が矩形状の多数の凹凸部１８ａ、１８ｂを有する透明基材１７の一部を切り取ることにより形成されており、屈折率ｎを有する。
【００２２】
図４に示すように、同心円状の凹凸部１８ａ、１８ｂの曲率中心はＸ軸上に位置している。すなわち、円弧状のパターンとしての凹凸部１８ａ、１８ｂは透明基材１７の同心円状のデフォーカスパターンの、中心部からＹ軸方向にシフトした任意の部分を切り取ったパターンと考えることができる。なお、隣接する凹部１８ａと凸部１８ｂのデューティ比は略１：１である。
【００２３】
ただし、凹凸部１８ａ、１８ｂは、上記同心円状のデフォーカスパターンの外周部ほどピッチＴｐが二次関数的に密になる同心円状のパターン（デフォーカス波面発生機能）と、Ｙ軸方向に凹凸部１８ａ、１８ｂと同ピッチを持つ直線状のパターン（チルト波面発生機能）とを合わせ持っている。
【００２４】
すなわちホログラム板１８は、入射光束をＹ軸方向に分割すると共に、分割された光束に対し光軸方向に正負のデフォーカスを与えることができる。
【００２５】
各構成要素は、レーザ光束が光ディスク１６の情報記録面に適正に収束したとき、ホログラム板１８によって分割された一対の光束のそれぞれのスポット形状が略同じサイズの円形となるように設定されている。この一対の光束は、光ディスク１６に対する光学ヘッドの離反・接近に起因して光ディスク１６の情報記録面に適正に合焦されないとき、一対のサーボ用受光素子上に形成されるスポットの形状が変化するため、受光出力が変化する。この受光出力に、後述する所定の演算処理を行って、フォーカスサーボ信号、トラッキングサーボ信号を得るものである。
【００２６】
本発明の実施形態において、ホログラム板１８に入射する光束に与えられる位相差量Δφは、略０．５λ（λ：波長単位）である。また、±１次回折光と±３次回折光との光量の比率は略９：１である。
なお、ここでは、ホログラム板１８の断面形状は矩形状であるが、これに限られるものではなく、サイン波形状、階段波形状、鋸歯状など、他の形状でも良い。さらに、光量の比率も略９：１に限られるものではなく、デューティ比や図３に示す溝深さＴｄを変更することにより、所望の光量比率に設定できる。
【００２７】
ホログラム板１８は、プリズムブロック部８から射出された光束を、図２の左右方向（タンジェンシャル相当方向：Ｙ方向）において２対の光束群Ａ１、Ａ２（±１次回折光）、及び光束群Ｂ１、Ｂ２（±３次回折光）に分割し、この２対の光束群に、図５に示すように、光軸Ｏ方向に関する正負方向のデフォーカス（集光レンズ１９を透過した±１次回折光、及び±３次回折光が、センサ位置に対し、ホログラム板側とその逆側で収束するようなデフォーカス）を生じさせる。図５において、ＦＡ１は−１次回折光による合焦位置であり、ＦＡ２は＋１次回折光による合焦位置である。また、ＦＢ１は−３次回折光による合焦位置であり、ＦＢ２は＋３次回折光による合焦位置である。ここで、光軸Ｏとは信号検出部３の中心軸をいう。また、光束Ａ１とＡ２の合焦位置ＦＡ１とＦＡ２、または光束Ｂ１とＢ２の合焦位置ＦＢ１とＦＢ２のそれぞれの光軸Ｏに沿った距離の半分をΔＺ、で表す。
【００２８】
この±１次回折光は、後述するデータ用受光素子２１ａ、２１ｂに受光され、データ信号としての再生ＲＦ信号の生成に用いられる。また、±３次回折光は、後述するサーボ用受光素子２２ａ、２２ｂに受光され、サーボ信号としてのフォーカスエラー信号ＦＥＳ及びトラッキングエラー信号ＴＥＳの生成に用いられる。なお、サーボ用受光素子２２ａ、２２ｂの中心間隔をΔＬ、で表す。
【００２９】
上述したように±１次回折光、及び±３次回折光は、それぞれの受光素子位置に対し、ホログラム板側とその逆側で収束する（図５）ため、各受光素子上でデフォーカスを発生させる。そのため、０次光が受光面上に集光されて、受光面上で極小のスポットが形成されることが無くなり、±１次回折光、及び±３次回折光による受光面上にデフォーカスが与えられたエネルギー密度が低く、受光素子の応答速度が低下しない程度の径を有するスポットが各受光面上で形成される。なお、本発明の実施形態において、０次光は発生しないため、０次光は信号検出に利用しない。０次光の光路上には受光素子は配設されない。また、何らかの誤差要因によって、０次光が漏れ出てきた場合においても、０次光の光路上には受光素子は設置されないので、データ用信号の応答速度に影響を及ぼすことが無い。
【００３０】
複合センサ２０は、図２、図５に示すように、ホログラム板１８から射出され集光レンズ１９を透過した、各光束をそれぞれ受光して電気信号に変換する、データ用受光素子２１ａ、２１ｂ、及びサーボ用受光素子２２ａ、２２ｂを有する。これらの受光素子２１ａ、２１ｂ、２２ａ、２２ｂは、光軸Ｏと直交する同一平面上に配置された状態で、パッケージ２０ａに収容されてコンパクト化されている。このため、サーボ用受光素子とデータ用受光素子の位置調整が同時に行われ、完了することが可能である。
【００３１】
受光素子２１ａと２１ｂ、２２ａと２２ｂがそれぞれ対になっている。一対のサーボ用受光素子２２ａ、２２ｂはトラッキング相当方向（Ｘ方向）と直交する方向の分割線により２分割されると共に、トラッキング方向と平行な方向の分割線により３分割されたマトリックス型の分割受光面（受光エレメント）を備えている。サーボ用受光素子２２ａの１行目の分割受光面に図中左から順にｋ、ａ、ｇ、２行目の分割受光面に左から順にｌ、ｂ、ｈの符号を付し、サーボ用受光素子２２ｂの１行目の分割受光面に左から順にｅ、ｉ、ｃ、２行目の分割受光面に左から順にｆ、ｊ、ｄの符号を付する。また、データ用受光素子２１ａ、２１ｂ、の受光面にｐ、ｑの符号を付する。また、以下の記載において、各受光面の出力には、各受光面に付した符号と同一符号を用いることとする。上記受光面の出力は処理部４に入力され、処理部４においてフォーカスエラー信号およびトラックエラー信号が検出される。本実施の形態の相変化型光ディスク用ヘッド装置では、スポットサイズ法によりフォーカスエラー信号を検出すると共にラジアルプッシュプル法によりトラックエラー信号を検出している。
【００３２】
処理部４は、図６に示すように、第１加算器２４〜第９加算器３２と第１減算器３３、第２減算器３４を有する。第１加算器２４は出力ｉ、ｈ、ｌを加算し、第２加算器２５は出力ｊ、ｋ、ｇを加算し、第３加算器２６は出力ａ、ｆ、ｄを加算し、第４加算器２７は出力ｂ、ｃ、ｅを加算する。第５加算器２８は、第１加算器２４の加算出力（ｉ＋ｈ＋ｌ）と第２加算器２５の加算出力（ｊ＋ｋ＋ｇ）とを加算して、その加算出力（ｉ＋ｈ＋ｌ＋ｊ＋ｋ＋ｇ）を第１減算器３３の一方の入力端子に出力し、第６加算器２９は、第３加算器２６の加算出力（ａ＋ｆ＋ｄ）と第４加算器２７の加算出力（ｂ＋ｃ＋ｅ）とを加算して、加算出力（ａ＋ｆ＋ｄ＋ｂ＋ｃ＋ｅ）を第１減算器３３の他方の入力端子に出力する。第１減算器３３は、第５加算器２８の加算出力（ｉ＋ｈ＋ｌ＋ｊ＋ｋ＋ｇ）と第６加算器２９の加算出力（ａ＋ｆ＋ｄ＋ｂ＋ｃ＋ｅ）と差を取ることにより、フォーカスエラー信号ＦＥＳを生成する。
【００３３】
第７加算器３０は、第２加算器２５の加算出力（ｊ＋ｋ＋ｇ）と第３加算器２６の加算出力（ａ＋ｆ＋ｄ）とを加算して、加算出力（ｊ＋ｋ＋ｇ＋ａ＋ｆ＋ｄ）を第２減算器３４の一方の入力端子に出力し、第８加算器３１は、第１加算器２４の加算出力（ｉ＋ｈ＋ｌ）と第４加算器２７の加算出力（ｂ＋ｃ＋ｅ）とを加算して、加算出力（ｉ＋ｈ＋ｌ＋ｂ＋ｃ＋ｅ）を第２減算器３４の他方の入力端子に出力する。第２減算器３４は、第７加算器３０の加算出力（ｊ＋ｋ＋ｇ＋ａ＋ｆ＋ｄ）と第８加算器３１の加算出力（ｉ＋ｂ＋ｌ＋ｂ＋ｃ＋ｅ）との差を取ることにより、トラッキングエラー信号ＴＥＳを生成する。
【００３４】
また、第９加算器３２は、データ用受光素子２１ａ、２１ｂの出力ｐ、ｑを加算して、再生ＲＦ信号を生成する。
【００３５】
なお、上記構成において、サーボ用受光素子２２ａ、２２ｂの中心間隔をΔＬ、で表すと（図５参照）、次の関係式（１）が満たされていることが好ましい。
（１）α≦ΔＬ≦３α
ここで、αは次式（２）で表される。
（２）α＝（６／ＮＡ１）・｛２・（ＮＡ０）２・δ＋（ＮＡ１）２・ΔＺ｝、
なお、ＮＡ０は相変化型光ディスク用ヘッド装置の対物レンズ１５のＮＡ、ＮＡ１は相変化型光ディスク用ヘッド装置のサーボレンズ（集光レンズ）１９のＮＡ、σは光ディスク１６の回転時の面ブレ量、ΔＺはＢ１、Ｂ２（±３次回折光）の収束位置の光軸に沿った距離の半分である。条件（１）において、ΔＬが下限αより小さいと、２２ａと２２ｂとの間隔が狭すぎるために、一方のセンサで受光すべきスポット（の一部）が他方のセンサにより受光されると、所望のフォーカスエラー・キャプチャーレンジが確保できなくなり、正確な信号が得られなくなってしまう。また、ΔＬが上限３αを越えると、波長変動によるスポットの間隔のずれが無視できないほど大きくなる。即ち、センサ間隔が広い場合、ホログラムによる回折角度（光束分離角度）を大きくする必要があるため、半導体レーザ５の波長変動により回折角度の変化も大きくなり、スポット間隔（ΔＬ）の変化が大きくなるため、フォーカスサーボ信号のリニアリティが失われてしまう。
【００３６】
以上が本発明の実施形態である。本発明はこれらの実施形態に限定されるものではなく様々な範囲で変形が可能である。
【００３７】
本実施形態は、±１次回折光によってデータ信号、±３次回折光によってサーボ信号を検出しているが、±１次回折光によってサーボ信号、±３次回折光によってデータ信号を検出してもよい。
【００３８】
また、本実施形態は、±１、±３次回折光を利用して各信号を検出しているが、ΔＬが３α以下であれば、より高次の回折光を利用して各信号を検出してもよい。
【００３９】
また、本実施形態は、±１次回折光と±３次回折光との光量の比率が略９：１であるが、正確な信号検出が可能であれば、他の光量比率でもよい。その際、ホログラム板１８に入射する光束に与えられる位相差量Δφは、本実施形態とは異なる。ホログラム板１８における位相差量（Δφ）は、（Δφ）＝Ｔｄ×（ｎ−１）／λの関係式で変更する事が可能であり、溝の深さに相当する量（Ｔｄ）や段差を構成する材料の屈折率（ｎ）を適切に変更する事によって所望の位相差量を発生させ、光量比を変更することが可能であるし、Ｄｕｔｙ比（Ｔｐ：Ｔｑ＝２：１）を変更しても可能であるし、両者を組み合わせても可能である。
【００４０】
さらに、特別な実施形態の場合として、データ信号検出用センサーエリアの分割を図７のようにし、データ信号を一体のデータ用受光素子２１で検出するように構成しても良い。１対でなく１体化し、０次光部分のみを不感度領域２１ｃとして設けても可能である。この場合、実用上、±１次回折光の間隔が狭く、データ信号検出用センサーエリア（センサーセグメント）の接合容量などの増加による応答速度の低下が許容できる範囲であれば、分割しなくても良く、１体化して大きくしても良い。
【００４１】
【発明の効果】
以上のように本発明の相変化型光ディスク用ヘッド装置は、受光素子に受光され、信号検出に利用される光束が、受光面上でデフォーカスを発生させる０次光以外の他の次光であるため、受光面上において光束が集光され過ぎることがなくなり、その結果、高いエネルギー密度を受光することによる受光素子の応答速度の低下を防止することが可能となる。
【図面の簡単な説明】
【図１】本発明に係る相変化型光ディスク用ヘッド装置の実施の形態の要部構成を示す斜視図である。
【図２】図１に示す相変化型光ディスク用ヘッド装置の信号検出部を拡大して示す斜視図である。
【図３】図１に示すホログラム板の断面を部分的に示す拡大断面図である。
【図４】図３に示すホログラム板の平面図である。
【図５】図２に示す信号検出部を上方から見た平面図である。
【図６】受光素子と処理部との接続開係を示す回路図である。
【図７】他の実施形態の受光素子と処理部との接続開係を示す回路図である。
【符号の説明】
１　光源部
２　対物光学系
３　信号検出部
４　処理部
２０　複合センサ
【図１】
2004103106.tif 000003
【図２】
2004103106.tif 000004
【図３】
2004103106.tif 000005
【図４】
2004103106.tif 000006
【図５】
2004103106.tif 000007
【図６】
2004103106.tif 000008
【図７】
2004103106.tif 000009